(57)【要約】【課題】壁面等の取付面に螺入することにより固着するものであっても、チェーン連結部を所望の向きに位置することができると共に、チェーンの揺動等に対して追従性に優れたチェーン掛止具を提供することを目的とする。【解決手段】略Ｕ字形状に形成されたチェーン連結部３が台座４に対して着脱自在かつ揺動自在に組み付けられたチェーン掛止具本体２と、前記台座４を取付面に固定する装着ボルト６とを備え、前記台座４は、前記装着ボルト６が遊転可能に挿通する挿入孔４ｍを開設して構成した。【選択図】図５
0003121944.tif 000002
【実用新案登録請求の範囲】
【請求項１】
略Ｕ字形状に形成されたチェーン連結部が台座に対して着脱自在かつ揺動自在に組み付けられたチェーン掛止具本体と、前記台座を取付面に固定する装着ボルトとを備え、前記台座は、前記装着ボルトが遊転可能に挿通する挿入孔を開設してなることを特徴とするチェーン掛止具。
【請求項２】
前記台座は両側端部に支持壁を立設し、該支持壁には前記チェーン連結部の両端を支持する支持軸を挿通する軸孔を開設し、該軸孔の一方には旋条を刻設する一方、前記支持軸の先端部に螺旋条を設け、前記チェーン連結部の両端部に開設された前記支持軸の軸径より径大の挿入孔に前記支持軸を嵌挿し、前記支持軸を前記支持壁に螺入して組み付けると共に、
前記台座の略中央部には、前記装着ボルトを挿入するための挿入孔を前記装着ボルトの軸径よりも径大に開設して、前記装着ボルトが遊転可能に挿通するように形成してなることを特徴とする請求項１に記載のチェーン掛止具
【請求項３】
前記チェーン連結部の湾曲部の厚さ方向において、掛止されるチェーンの湾曲部を案内する低段部を形成してなることを特徴とする請求項１又は２に記載のチェーン掛止具。
【請求項４】
前記支持軸の頭部が収まる一方の前記支持壁は、前記支持軸の頭部を没入させる凹段部を形成してなることを特徴とする請求項１乃至３の何れかに記載のチェーン掛止具。
【請求項５】
前記支持軸は、前記支持軸の頭部上面に、有底孔であって、底面中央に突部を有する略星形のレンチ操作孔を形成してなることを特徴とする請求項１乃至４の何れかに記載のチェーン掛止具。
【請求項６】
前記台座は、前記装着ボルトの頭部が没入する凹段部を、ボルト挿入孔に連通して形成してなることを特徴とする請求項１乃至５の何れかに記載のチェーン掛止具。
【請求項７】
請求項１乃至６の何れかに記載のチェーン掛止具と、前記チェーン掛止具の前記装着ボルトの先端部に螺装可能であって前記装着ボルトの螺入に応じて拡径する取付部材と、を備えることを特徴とするチェーン掛止具の取付構造。
【考案の詳細な説明】
【技術分野】
【０００１】
本考案は、例えば、車の進入を阻止するチェーンを、建物の壁面又は支柱等に掛止させるために用いられるチェーン掛止具およびその取付構造に関する。
【背景技術】
【０００２】
一般的に、車止め用の支柱には、各支柱間にチェーンが掛け渡されて車等の進入を阻止しており、このように掛設されたチェーンの端部は、支柱又は建物の壁面等に掛止されている。かかるチェーンの掛止用に使用される連結具としては、従来、アイボルト、矩形の金属板面の前面にシャックルを固定させた連結金具等が公知である。
【０００３】
前記公知の連結金具としては、たとえば、特開２００２−８９０３９号公報（特許文献１）に記載の如きアイボルトがある。前記のアイボルトは、ハーフＰＣ版の内部製造工程において、Ｐコン型インサート金物を後に取付ける長ナットを有するセパレータを予めセットしておき、型枠組み立て時に前記長ナットにＰコン型インサート金物をねじ込み、せき板を挟み込む形で前記Ｐコン型インサート金物の内ネジ部分に取り付けられている。そして、このようなアイボルトは、通常、特開２００１−９９１２３号公報（特許文献２）に記載のもののように、リング状部（チェーン連結部）とネジ部とから一体的に構成されており、前記ネジ部を壁面等の取付面に螺入することにより壁面等の取付面に固着されるのである。
【０００４】
【特許文献１】特開２００２−８９０３９号公報
【特許文献２】特開２００１−９９１２３号公報
【考案の開示】
【考案が解決しようとする課題】
【０００５】
しかしながら、前記の如き構成からなるアイボルトは、前記ネジ部と前記リング状部とが一体的に構成されているため、前記ネジ部を壁面に完全に螺入した状態において、前記リング状部が所望の向きに位置しない場合が生じる。また、前記ネジ部と前記リング状部とが一体的に構成されているため、チェーンを掛止する場合、上下方向への移動が制限されチェーンの揺動に対して追従性に欠ける場合がある。
【０００６】
本考案は、かかる事情に鑑みてなされたものであって、壁面等の取付面に螺入することにより固着するものであっても、リング状部（チェーン連結部）を所望の向きに位置することができると共に、チェーンの揺動等に対して追従性に優れたチェーン掛止具およびその取付構造を提供することを目的とする。
【課題を解決するための手段】
【０００７】
請求項１に記載のチェーン掛止具は、略Ｕ字形状に形成されたチェーン連結部が台座に対して着脱自在かつ揺動自在に組み付けられたチェーン掛止具本体と、前記台座を取付面に固定する装着ボルトとを備え、前記台座は、前記装着ボルトが遊転可能に挿通する挿入孔を開設してなることを特徴とする。
【０００８】
請求項１に記載のチェーン掛止具にあっては、前記チェーン掛止具の台座に前記装着ボルトが遊転可能に挿通する挿入孔が開設されているので、前記チェーン掛止具を、前記装着ボルトによって壁面等の取付面に固着する際に、前記台座を所望の回転位置にて取り付けることができると共に、チェーン連結部が台座に対して揺動自在に組み付けられているので、チェーンの揺動等に対して追従することができる。
【０００９】
請求項２に記載のチェーン掛止具は、前記台座は両側端部に支持壁を立設し、該支持壁には前記チェーン連結部の両端を支持する支持軸を挿通する軸孔を開設し、該軸孔の一方には旋条を刻設する一方、前記支持軸の先端部に螺旋条を設け、前記チェーン連結部の両端部に開設された前記支持軸の軸径より径大の挿入孔に前記支持軸を嵌挿し、前記支持軸を前記支持壁に螺入して組み付けると共に、前記台座の略中央部には、前記装着ボルトを挿入するための挿入孔を前記装着ボルトの軸径よりも径大に開設して、前記装着ボルトが遊転可能に挿通するように形成してなることを特徴とする。
【００１０】
請求項２に記載のチェーン掛止具にあっては、前記チェーン掛止具の台座の略中央部に、前記装着ボルトを挿入するための挿入孔を前記装着ボルトの軸径よりも径大に開設し、前記装着ボルトが遊転可能に挿通するように形成しているので、前記チェーン掛止具を、前記装着ボルトによって壁面等の取付面に固着する際に、前記台座を所望の回転位置にて取り付けることができると共に、前記台座の両側端部に支持壁を立設し、該支持壁には前記チェーン連結部の両端を支持する支持軸を挿通する軸孔を開設し、該軸孔の一方には旋条を刻設する一方、前記支持軸の先端部に螺旋条を設け、前記チェーン連結部の両端部に開設された前記支持軸の軸径より径大の挿入孔に前記支持軸を嵌挿し、前記支持軸を前記支持壁に螺入して組み付けているので、前記チェーン連結部は前記台座に対して揺動可能となり、チェーンの揺動等に対して追従することができる。さらに、前記チェーン連結部の両端を支持する支持軸が、前記台座に対して着脱自在に組み付けられので、施工性がよいものとなる。
【００１１】
請求項３に記載のチェーン掛止具は、請求項１又は２に記載のチェーン掛止具において、前記チェーン連結部の湾曲部の厚さ方向において、掛止されるチェーンの湾曲部を案内する低段部を形成してなることを特徴とする。
【００１２】
請求項３のチェーン掛止具にあっては、請求項１又は２に記載のチェーン掛止具に加えて、前記チェーン連結部の湾曲部（前端部）に形成した低段部に、掛止されるチェーンの端部を案内して繋留するのであるが、このとき、掛止されるチェーンの楕円形状及びその大きさに多少に相違があっても、良好かつ円滑に繋留することができる。
【００１３】
請求項４に記載のチェーン掛止具は、請求項１乃至３の何れかに記載のチェーン掛止具において、前記支持軸の頭部が収まる一方の前記支持壁は、前記支持軸の頭部を没入させる凹段部を形成してなることを特徴とする。
【００１４】
請求項４に記載のチェーン掛止具にあっては、請求項１乃至３の何れかに記載のチェーン掛止具に加えて、前記支持軸の組み付け状態において、突出部が無くなるので、安全性が高まることとなる。
【００１５】
請求項５に記載のチェーン掛止具は、請求項１乃至４の何れかに記載のチェーン掛止具において、前記支持軸は、前記支持軸の頭部上面に、有底孔であって、底面中央に突部を有する略星形のレンチ操作孔を形成してなることを特徴とする。
【００１６】
請求項５のチェーン掛止具にあっては、請求項１乃至４の何れかに記載のチェーン掛止具に加えて、底面中央に突部を有する略星形のレンチ操作孔に対応する専用のレンチを使用することによってのみ、前記支持軸の着脱することができ、防犯性を高めることができる。
【００１７】
請求項６に記載のチェーン掛止具は、請求項１乃至５の何れかに記載のチェーン掛止具において、前記台座は、前記装着ボルトの頭部が没入する凹段部をボルト挿入孔に連通して形成してなることを特徴とする。
【００１８】
請求項６のチェーン掛止具にあっては、請求項１乃至５の何れかに記載のチェーン掛止具に加えて、前記凹段部に前記装着ボルトの頭部が没入するので、前記チェーン連結部を取り外さないと前記装着ボルトを取り外すことができず、より、防犯性を高めることができることとなる。
【００１９】
請求項７に記載のチェーン掛止具の取付構造は、請求項１乃至６の何れかに記載のチェーン掛止具と、前記チェーン掛止具の前記装着ボルト先端部に螺装可能であって前記装着ボルトの螺入に応じて拡径する取付部材と、を備えることを特徴とする。
【００２０】
請求項７に記載のチェーン掛止具の取付構造にあっては、請求項１乃至６の何れかに記載のチェーン掛止具に加えて、施工性が更に高まると共に、取付面にしっかりと固定でき、取付面に対する固着性に優れたものとなる。
【考案の効果】
【００２１】
請求項１に記載のチェーン掛止具に依れば、略Ｕ字形状に形成されたチェーン連結部が台座に対して着脱自在かつ揺動自在に組み付けられたチェーン掛止具本体と、前記台座を取付面に固定する装着ボルトとを備え、前記台座は、前記装着ボルトが遊転可能に挿通する挿入孔を開設しているので、前記チェーン掛止具を、前記装着ボルトによって壁面等の取付面に固着する際に、前記台座を所望の回転位置にて取り付けることができると共に、チェーンの揺動等に対して追従することができる。
【００２２】
請求項２に記載のチェーン掛止具依れば、前記台座は両側端部に支持壁を立設し、該支持壁には前記チェーン連結部の両端を支持する支持軸を挿通する軸孔を開設し、該軸孔の一方には旋条を刻設する一方、前記支持軸の先端部に螺旋条を設け、前記チェーン連結部の両端部に開設された前記支持軸の軸径より径大の挿入孔に前記支持軸を嵌挿し、前記支持軸を前記支持壁に螺入して組み付けると共に、前記台座の略中央部には、前記装着ボルトを挿入するための挿入孔を前記装着ボルトの軸径よりも径大に開設して、前記装着ボルトが遊転可能に挿通するように形成しているので、前記チェーン掛止具を、前記装着ボルトによって壁面等の取付面に固着する際に、前記台座を所望の回転位置にて取り付けることができると共に、前記チェーン連結部は前記台座に対して揺動可能となり、チェーンの揺動等に対して追従することができる。さらに、前記チェーン連結部の両端を支持する支持軸が、前記台座に対して着脱自在に組み付けられので、施工性がよいものとなる。
【００２３】
請求項３に記載のチェーン掛止具に依れば、前記チェーン連結部の湾曲部の厚さ方向において、掛止されるチェーンの湾曲部を案内する低段部を形成しているので、前記チェーン連結部の湾曲部（前端部）に形成した低段部に、掛止されるチェーンの端部を案内して繋留する場合に掛止されるチェーンの楕円形状及びその大きさに多少に相違があっても、良好かつ円滑に繋留することができる。
【００２４】
請求項４に記載のチェーン掛止具に依れば、前記支持軸の頭部が収まる一方の前記支持壁は、前記支持軸の頭部を没入させる凹段部を形成しているので、前記支持軸の組み付け状態において、突出部が無くなり、安全性が高まることとなる。
良くなり、この頭部が拭き取り掃除の邪魔にならなくなった。
【００２５】
請求項５に記載のチェーン掛止具に依れば、前記支持軸は、前記支持軸の頭部上面に、有底孔であって、底面中央に突部を有する略星形のレンチ操作孔を形成しているので、底面中央に突部を有する略星形のレンチ操作孔に対応する専用のレンチを使用することによって前記支持軸の着脱することができ、防犯性を高めることができる。
【００２６】
請求項６に記載のチェーン掛止具に依れば、前記台座は、前記装着ボルトの頭部が没入する凹段部をボルト挿入孔に連通して形成しているので、前記装着ボルトの頭部は前記台座面に没入し、前記チェーン連結部を取り外さないと前記装着ボルトを取り外すことができず、より防犯性を高めることができることとなる。
【００２７】
請求項７に記載のチェーン掛止具の取付構造に依れば、請求項１乃至６の何れかに記載のチェーン掛止具と、前記チェーン掛止具の前記装着ボルト先端部に螺装可能であって前記装着ボルトの螺入に応じて拡径する取付部材とを備えているので、施工性が更に高まると共に、取付面にしっかりと固定でき、取付面に対する固着性に優れたものとなる。
【考案を実施するための最良の形態】
【００２８】
以下、本考案を実施するための最良の形態を図面に基づいて具体的に説明する。
【００２９】
図１はチェーン掛止具および取付部材の斜視図であり、図２は同平面図であり、図３は同側面図であり、図４は同正面図である。
【００３０】
図１乃至図４において、１は、本考案に係るチェーン掛止具であり、該チェーン掛止具１は、略円錐台状の台座４の両側端部から前方に向けて突出形成する支持部４ｄ，４ｇに挿通された支持軸５に、略Ｕ字形状に形成されたチェーン連結部３の両端部３ａ，３ａを嵌装して組み付けたチェーン掛止具本体２と、前記チェーン掛止具本体２を取付面に固定する装着ボルト６とから構成される。
【００３１】
そして、前記チェーン掛止具１は、前記装着ボルト６の先端部に螺装される円筒ナット７と該円筒ナット７を筒内で抱持するアンカー用半割筒材８とから構成される取付部材によって、取付面に固定されるのである。
【００３２】
図５はチェーン掛止具および取付部材の分解斜視図であり、図６（ａ）は台座の平面図であり、（ｂ）は同側面図で示あり、（ｃ）は同側面断面図であり、（ｄ）は同正面図である。
【００３３】
図５および図６（ａ）乃至（ｄ）に示すように、前記チェーン連結部３の両端部３ａ，３ａには、前記支持軸５の軸部５ａを挿入させる支持軸挿入孔３ｂ，３ｂが対向して開設している。
【００３４】
そして、前記台座４の基部を形成する台座面４ａは、前端縁に向かうに従って若干径が小さくなる円形の外周を有する金属肉厚板形状を有し、台座面４ａの中央個所には、装着ボルト６の頭部６ｂが没入する円形の凹段部４ｋを、その前方のボルト挿入孔４ｍと一体的に形成している。前記装着ボルト６は軸部６ａと、その先端部の頭部６ｂとで構成されており、該頭部６ｂの中央面には六角穴６ｃを形成している。
【００３５】
前記各支持部４ｄ，４ｇは、各外側面を、台座面４ａの上端縁に沿った円弧面にて形成しており、各上端縁を楕円弧形状に形成している。そして、一方の前記支持部４ｄに、前記支持軸５の頭部５ｂが没入する円形の凹段部４ｅを、その前方の支持軸挿入孔４ｆとともに形成しており、他方の前記支持部４ｇには、前記支持軸５の先端部が螺入するねじ孔４ｈを開設している。そして、前記各支持部４ｄ，４ｇの下部を、補強を図るため、内側方向に向けて肉厚に形成して、これにより形成された内側中段の上面部４ｎ，４ｎを、前記チェーン連結部３の両端部３ｂ，３ｂの外周面が当接しないように、曲面にて形成している。
【００３６】
前記円筒ナット７は、その前部７ａの外径よりも後部７ｂの外径を径大に形成し、中央部７ｃの外周面をテーパ状に形成し、前記中央部７ｃから後端部に向け、滑り止め用の凸条７ｄを全周に渡って多数本条設している。
【００３７】
前記アンカー用半割筒材８は、鉛材から成形されており、前部８ａの内径を前記円筒ナット７の前部７ａの外径よりも若干径大となるように形成して、前部寄りの個所から後端部に至る切欠き部８ｂ，８ｂを周方向に等間隔を置いて数本形成して、該切欠き部８ｂ，８ｂ間の面を羽部８ｃとして形成し、該羽部８ｃ，８ｂの外側面には滑り止めの凹凸部８ｄを形成している。
【００３８】
図７はチェーン連結部を台座に組み付けた状態を示す拡大部分平面断面図である。図７に示すように、前記チェーン連結部３を前記台座４に組み付ける場合は、前記チェーン連結部３の両端部３ａ，３ａを前記各支持部４ｄ，４ｇ間に位置させて、前記支持軸５を、一方の支持部４ｄに形成されている前記支持軸挿入孔４ｆ内から、他方の前記支持部４ｇに形成されているねじ孔４ｇに向けて挿入する途中で、前記支持軸５の軸部５ａを，前記両端部３ａ，３ａに形成されている前記支持軸挿入孔３ｂ，３ｂ内に挿通させ、続いて、前記支持軸５の先端部を、他方の前記支持部４ｇに形成されているねじ孔４ｇ内に螺着入させることにより行なわれる。
【００３９】
前述のように組み付けた場合は、前記チェーン連結部３の両端部３ａ，３ａが、前記両支持部４ｄ，４ｇ間に装着された前記支持軸５を支点に揺動自在に装着される。そして、前記支持軸５の頭部５は、一方の前記支持部４ｄに形成されている凹段部４ｆ内に没入するため、装着後の前記支持軸５をペンチ及びプライヤ等の挟持工具を用いて外すことはできない。
【００４０】
図８は支持軸の頭部及び専用のレンチの拡大斜視図である。図８において、５ｂは前記支持軸５の頭部であり、１０は専用レンチである。前記支持軸５の頭部５ｂの中央面には、底面中央に突部５ｃを有する略星形のレンチ突入穴５ｄが形成されている。前記支持軸５を操作する前記専用レンチ１０は、その先端部１０ａが、前記レンチ突入穴５ｄに対応した形状を有しており、通常の形状のレンチ及びドライバー等では前記支持軸５の操作を行うことができない。
【００４１】
以上のように構成された前記チェーン掛止具１を壁面等の取付面に固定するには、例えば、前記取付部材（前記円筒ナット７及び前記アンカー用半割筒材８）を用いて、以下に述べるような手順で固定するのである。
【００４２】
先ず、図９の壁面に取付部材を挿入する状態を示す斜視図に示すように、チェーン掛止具１を壁面Ｗに固定する前に、予め固定位置に合わせて、壁面Ｗに、前記取付部材（前記円筒ナット７及び前記アンカー用半割筒材８）を挿入する為のドリル穴Ｗａを開設する。そして、図１０の壁面に穿設されたドリル穴内にナットを抱持したアンカー用半割筒材を挿入した状態を示す断面図に示すように、前記ドリル穴Ｗａに前記取付部材（前記円筒ナット７及び前記アンカー用半割筒材８）を挿入する。
【００４３】
次に、図１１の台座を壁面に固定した状態を示す平面断面図に示すように、予め分解した前記チェーン掛止具本体２の前記台座４を、前記壁面Ｗに固定するのである。
【００４４】
この場合においては、図１１に示すように、前記装着ボルト６を前記台座４の中央面に形成されている前記ボルト挿入孔４ｍ内に挿入し、前記装着ボルト６の先端部を前記ドリル穴Ｗａ内に挿入した前記円筒ナット７に螺入して、前記装着ボルト６を六角レンチ（図示せず）によって締め付ける。この締め付けにより、前記円筒ナット７は前記アンカー用半割筒材８に進入し、前記アンカー用半割筒材８の各羽部８ｃ，８ｃを拡径して、前記ドリル孔Ｗａの内壁に押圧し、前記取付部材（前記円筒ナット７および前記アンカー用半割筒材８）を、ドリル孔Ｗａ内に固定するのである。このとき、前記装着ボルトを、前記ボルト挿入孔４ｍに対して遊転可能としているので、前記台座４を前記壁面Ｗに固定する際に、前記台座４を所望の回転位置にて取り付けることができる。
【００４５】
次に、図１２のチェーン掛止具本体が壁面に固定されている状態を示す平面断面図に示すように、前記壁面Ｗに固定した前記台座４に、前記支持軸５を用いて、前記チェーン連結部３の両端部を揺動可能に組み付ける。この場合、予めチェーンを前記チェーン連結部３に嵌挿しておいてもよい。
【００４６】
そして、前記台座４を前記壁面Ｗに固定する際に、前記台座４の支持軸５が水平となるように取り付けた場合は、図１３のチェーン連結部が垂直方向に揺動する状態を示す側面図に示すように、前記チェーン連結部３は前記支持軸５を支点として上下方向に約１８０度の範囲で揺動することができる。したがって、チェーンが外力によって垂直方向に揺動しても、前記チェーン連結部３は、前記チェーンの揺動に対して追従でき、前記取付部材等に伝える外力を低減することができ、より固着性に優れたものとなる。
【００４７】
図１４はチェーン掛止具本体にチェーンに掛止させた状態を示す側面図であり、図１５（ａ）はチェーン掛止具本体にチェーンに掛止させた状態を示す正面図であり、（ｂ）はチェーン連結部の先端部を示す一部平面図であり、（ｃ）は同正面図である。
【００４８】
図１４及び図１５（ａ）乃至（ｃ）に示すように、チェーンＴの先端部Ｔａをチェーン掛止具本体２に掛止させる場合には、一旦、前記チェーン連結部３を前記台座４から取り外し、この取り外した前記チェーン連結部３を前記チェーンＴの端部Ｔａ内に挿通させて、前記チェーン連結部３を前記台座４に組み付ける。このとき、前記チェーン連結部３の先端部３cの厚さ方向には、低段部３ｓ，３ｓを形成しているので、掛止される前記チェーンＴの端部を、前記低段部３ｓ，３ｓに案内して繋留する場合に、掛止される前記チェーンＴの楕円形状及びその大きさに多少に相違があっても、良好かつ円滑に繋留することができ、前記チェーンＴは、繋留状態において前記チェーン連結部３に収まりの良いものとなる。
【図面の簡単な説明】
【００４９】
【図１】本考案の１実施例によるチェーン掛止具を示す斜視図である。
【図２】同じく平面図である。
【図３】同じく側面図である。
【図４】同じく正面図である
【図５】本考案の１実施例によるチェーン掛止具を分解して示した斜視図である。
【図６】（ａ）は台座を平面図で示し、（ｂ）は同じく側面図で示し、（ｃ）同じく側面断面図で示し、（ｄ）は同じく正面図で示している。
【図７】チェーン連結部を台座に装着した状態を示す拡大部分平面断面図である。
【図８】支持軸の頭部とこれに対応する専用のレンチを示す拡大斜視図である。
【図９】ナットを保持したアンカー用半割筒材を壁面内に打ち込む前の状態を示す斜視図である。
【図１０】壁面のドリル穴内にナットを保持したアンカー用半割筒材を打ち込んだ後の状態を示す平面断面図である。
【図１１】台座を壁面に装着した状態を示す平面断面図である。
【図１２】チェーン掛止具本体が壁面に装着されている状態を示す平面断面図である。
【図１３】チェーン連結部の揺動状態を示す側面図である。
【図１４】チェーン掛止具本体にチェーンを掛止させた状態の側面図である。
【図１５】（ａ）はチェーン掛止具本体にチェーンを掛止させた状態を示す正面図であり、（ｂ）はチェーン連結部の先端部を示す平面図であり、（ｃ）は同正面図である。
【符号の説明】
【００５０】
１    チェーン掛止具
２    チェーン掛止具本体
３    チェーン連結部
３ａ，３ａ  両端部
３ｂ  ボルト挿入孔
３c   先端部
３ｓ  低段部
４    台座
４ａ  台座面
４ｄ  支持部
４ｅ  凹段部
４ｆ  支持軸挿入孔
４ｇ  支持部
４ｋ  凹段部
４ｈ  ねじ孔
４ｍ  ボルト挿入孔
４ｎ  段部の上面部
５    支持軸
５ａ  （支持軸５の）軸部
５ｂ  （支持軸５の）頭部
５ｃ  突部
５ｄ  レンチ突入穴
６    装着ボルト
６ａ  （装着ボルト６の）軸部
６ｂ  （装着ボルト６の）頭部
６ｃ  六角穴
７    円筒ナット
７ａ  （円筒ナット７の）前部
７ｂ  （円筒ナット７の）後部
７ｃ  （円筒ナット７の）中央部
７ｄ  （円筒ナット７の）凹凸条
８    アンカー用半割筒材
８ａ  （アンカー用半割筒材８の）前部
８ｂ  （アンカー用半割筒材８の）切欠き部
８c   （アンカー用半割筒材８の）羽部
８ｄ  （アンカー用半割筒材８の）凹凸
１０    レンチ
１０ａ  （レンチ１０の）先端部
Ｗ    壁面
Ｗａ  ドリル穴
【図１】
0003121944.tif 000003
【図２】
0003121944.tif 000004
【図３】
0003121944.tif 000005
【図４】
0003121944.tif 000006
【図５】
0003121944.tif 000007
【図６】
0003121944.tif 000008
【図７】
0003121944.tif 000009
【図８】
0003121944.tif 000010
【図９】
0003121944.tif 000011
【図１０】
0003121944.tif 000012
【図１１】
0003121944.tif 000013
【図１２】
0003121944.tif 000014
【図１３】
0003121944.tif 000015
【図１４】
0003121944.tif 000016
【図１５】
0003121944.tif 000017